(57)【要約】下方カバー部品（７）と上方カバー部品（６）を有する、ステムグラスのベース用カバーであって、下方カバー部品と上方カバー部品は、それぞれの外周領域（８）の少なくとも一部において結合され、上方および下方部品の間にポケット部（１０）を定め、該ポケット内にステムグラスのベース部分を配置することができる。
2008521465.tif 000002
【特許請求の範囲】
【請求項１】
ステムグラスのベース部分用カバー（２）であって、下方カバー部品（７）と上方カバー部品（６）を備え、該下方カバー部品と該上方カバー部品は、それぞれの外周領域（８）の少なくとも一部において結合されることにより、上方部品と下方部品の間でポケット部（１０）を定め、このポケット部によりステムグラスのベース部分を受け入れるように構成されていることを特徴とするカバー。
【請求項２】
カバーは、少なくとも部分的に、吸収性のある素材で構成され、グラス上に形成された水滴、または、グラスからこぼれた飲料を吸収することを特徴とする請求項１に記載のカバー。
【請求項３】
吸収性のある素材は、紙もしくはファブリック、または、それらの混合物を含むことを特徴とする請求項２に記載のカバー。
【請求項４】
弾性のあるファブリックが使用されることを特徴とする、請求項１から３のいずれか1項に記載のカバー。
【請求項５】
カバーの下面は、不滑性表面もしくはテクスチャを有することを特徴とする、請求項１から４のいずれか１項に記載のカバー。
【請求項６】
カバーの下面は、該カバーの下面に滑り止め仕上げを施すことにより形成された、または、カバー素材の表面あるいはテクスチャが固有に有する特性により形成された不滑性表面またはテクスチャを有することを特徴とする、請求項１から４のいずれか１項に記載のカバー。
【請求項７】
カバーの上面は、販売促進素材または広告素材を備えた表面を提供することを特徴とする。請求項１から６のいずれか１項に記載のカバー。
【請求項８】
カバーの上面は、カバーの上面に印刷やエンボス加工を施すことなどにより、販売促進素材または広告素材を備えた表面を提供することを特徴とする、請求項１から６のいずれか１項に記載のカバー。
【請求項９】
カバーは、ほぼ円形であることを特徴とする、請求項１から８のいずれか１項に記載のカバー。
【請求項１０】
カバーは、二つのカバー部品から構成され、これらの部品は、それぞれの外周領域の少なくとも一部が結合されることにより、カバー部品間でポケット部を定めることを特徴とする、請求項１から９のいずれか１項に記載のカバー。
【請求項１１】
請求項１から請求項１０のいずれか１項に記載のカバーであって、該カバー部品（６，７；６０，７０）は、外周領域（８０）の少なくとも一部が結合され、非結合部分が十分残るようし、上方および下方部品の間のポケット部にグラスのベース部分を挿入することを可能とする、または、該カバー部品（６，７；６０，７０）は、外周領域の少なくとも主要部分において結合される、または、該カバー部品（６，７）は、その外周領域のほぼ全体において結合される、または、上方カバー部品は、下方カバー部品の全体または一部に覆いかぶさる、または、カバーをより確実にグラスのベース部分上に保持するために、上方カバー部品は、少なくとも下方カバー部品の主要部分に重畳する、または、上方カバー部品は、下方カバー部品のほぼ全体に覆いかぶさることを特徴とするカバー。
【請求項１２】
上方カバー部品（６）には、少なくとも一つのスリット（１６）が備えられ、これにより、カバー部品間のポケット部内にグラスのベース部分を挿入することが可能となることを特徴とする、請求項１から９のいずれか１項に記載のカバー。
【請求項１３】
上方カバー部品は、直径方向のスリット（９）を備え、または、上方カバー部品（６００）は、放射線状のスリット（９００）を備え、この中にワイングラスのステム部分を通すことができることを特徴とする、請求項１から９のいずれか１項に記載のカバー。
【請求項１４】
スリットに隣接する、上方カバー部品（６００）の中央部分（１２００）は、グラスのステム部分を、より簡単にカバー内に収容できるように、解放されていることを特徴とする、請求項１３に記載のカバー。
【請求項１５】
複数の放射状方向のスリットを、中央部分を中心として備えることにより、フィンガー（１８）の同心配置を定め、使用の際には、カバーに挿入されたグラスのステム部分に対してフィンガーが設置されるように構成され、ステムからの水滴を吸い取るための一助となることを特徴とする、請求項１４に記載のカバー。
【発明の詳細な説明】
【技術分野】
【０００１】
本発明は、本発明は、ステムグラスのベース部分用のカバーに関連し、特に、冷たい飲料を保持している際、グラス上に生じる水滴を吸収することに関する。しかしながら、本発明はこの目的に限られない。
【背景技術】
【０００２】
レストランやバーなどで提供される飲料は、飲料に氷を加えることにより、または、事前に冷やすことにより、冷たい状態で提供される。冷たい飲料がグラス内に入ったままであると、周囲の大気が暖かく湿度が高い場合は特に、相当量の水滴がグラスの外側で凝結する。この水滴はグラスの外側で蓄積し、ステムグラスの場合は、最終的にはグラスとステムの外側を流れ落ち、グラスのベース上、あるいはその周辺に集まる。
【０００３】
このようにグラスのベース部分に集まった水滴は、飲んでいる人の手や衣服を濡らす可能性があり、また、グラスが置かれている表面を滑りやすくする場合もある。さらに、この水滴により、なんらかの表面部分や飲んでいる人の衣服にしみができてしまう可能性もある。この理由により、レストランやバーの多くは、グラスを置くためのコースターを顧客に提供し、これにより水滴を吸収させる。
【０００４】
しかしながら、レストランやバー内で、顧客が、ある場所から別の場所にたびたび移動したいような場合は、顧客は、そのコースターを一緒に持っていくか、別のものを見つけなければならない。さらに、水滴はグラスのベースの周辺に集まり、表面張力によってコースターをベース部分に保持させ、その結果、顧客が飲もうとするときにグラスと一緒にコースターが拾い上げられてしまい、グラスを傾けた際には、グラスのベース部分から落ちてしまう、ということもある。従って、上記のような問題をなくすため、冷たいグラスから効果的に水滴を集めて吸収する手段が必要とされる。
【発明の開示】
【発明が解決しようとする課題】
【０００５】
本発明は、ステムグラスのベース部分に使用するためのカバーを提供し、当該カバーは、下方部品と上方部品を備え、下方部品と上方部品は、それぞれの外周領域の少なくとも一部で結合されることにより、上方部品と下方部品の間でポケット部を定め、このポケット部によりステムグラスのベース部分を受け入れるように構成されていることを特徴とする。
【０００６】
当該カバーは、少なくとも部分的に、吸収性のある素材で構成され、グラス上に形成された水滴、または、グラスからこぼれた飲料を吸収するようにしてもよい。好ましくは、該素材は、紙もしくはファブリック、または、それらの混合物であってもよい。当該カバーは、使い捨てのものとして作られてもよいし、再利用可能なものとして作られても良いが、この場合のファブリックは、そのために好適な素材であるものとする。また、ある程度の弾性を有するファブリックを使用することが都合よく、例えば、ライクラ（Lycra、登録商標）が含まれ、これによってカバーを容易に引き伸ばして被せることが可能となり、グラスのベース部分上にカバーが保持されるようにする。
【０００７】
該カバーの下面は、不滑性表面もしくはテクスチャを有することが好ましい。これは、カバーの下面に滑り止め仕上げを施すことにより実現することが可能であり、例えば、ラテックスでよい。あるいは、この不滑性表面は、カバー素材の表面あるいはテクスチャが固有に有する特性としてもよい。
【０００８】
該カバーの上面は、販売促進素材または広告素材を備えた表面を提供する。例えば、カバーの上面に印刷やエンボス加工を施すことなどにより提供される。
【０００９】
該カバーは、通常は円形であるが、他の形状も使用可能である。当該カバーは、二つのカバー部品から構成され、これらの部品は、それぞれの外周領域の少なくとも一部が結合されることにより、カバー部品間でポケット部を定める。実施例の一つにおいて、このカバー部品は、外周領域の少なくとも一部が結合され、非結合部分が十分残るようにする。これにより、上方部品と下方部品の間のポケット部にグラスのベース部分を挿入することが可能になる。また、このカバー部品は、外周領域の少なくとも主要部において結合されることが好ましい。また、好ましい実施例においては、これらのカバー部品は、その外周領域のほぼ全体において結合されるようにしてもよい。
【００１０】
上方カバー部品は、下方カバー部品の全体または一部に覆いかぶさる。カバーをより確実にグラスのベース部分上に保持するために、上方カバー部品は、少なくとも下方カバー部品の主要部に重畳することが好ましい。また、カバー部品は、下方カバー部品のほぼ全体に覆いかぶさることが好ましい。
【００１１】
上方カバー部品上には、少なくとも一つのスリットが備えられ、これにより、カバー部品間のポケット部内にグラスのベース部分を挿入することが可能となる。好ましい実施例において、上方カバー部品は、直径方向のスリットを備える。さらに好ましい実施例においては、上方カバー部品は、放射線状のスリットを備え、この中にワイングラスのステム部分を通すことができる。
【００１２】
また、該スリットに隣接する、上方カバー部品の中央部分は、グラスのステム部分をより簡単にカバー内に収容できるように、解放されるようにすることが都合よい。さらに好ましい実施例においては、複数の放射状方向のスリットを、中央部分を中心として備えることにより、フィンガーの同心配置を定め、使用の際には、カバーに挿入されたグラスのステム部分に対してフィンガーが設置されるように構成され、ステムからの水滴を吸い取るための一助となる。
【発明を実施するための最良の形態】
【００１３】
ここで、図1を参照すると、本発明によるカバー２が示されており、これは、外周端部８のほぼ全体において、ほぼ同じ寸法の円形下方カバー部品７と結合される、円形上方カバー部品６を備える。上方カバー部品と下方カバー部品は双方とも、ある程度の弾性を有するファブリックから成ることが好ましい。直径方向スリット９は、上方カバー部品に備えられ、ポケット部１０を提供する。使用時は、このポケット部にグラスのベース部分が挿入され、カバーをグラスのベース上に伸ばして、カバーのポケット部内にグラスベースを収容する。下方カバー部品の下側表面には、例えば、カバー部品７の下面に滑り止め仕上げを施すことにより、不滑性表面またはテクスチャが形成されるようにしてもよい。あるいは、この不滑性表面またはテクスチャは、カバー素材の表面またはテクスチャが固有に有する特性によって形成してもよい。
【００１４】
好ましい実施例において、カバーの上面は、販売促進素材または広告素材を備えた表面を提供する。例えば、カバーの上面に印刷やエンボス加工を施すことなどにより提供される。
【００１５】
図２は、図１のカバーの別の実施例を示し、上方カバー６は、グラスのステムを収容するための円形解放部１２を備える。
【００１６】
図３と図４は、図１のさらに別の実施例を示し、複数の放射状スリット１６が、スリット９に隣接する、上方カバー６の中央部分を中心として、同心配置される。これにより、複数のフィンガー１８が形成され、使用時には、カバーに挿入されたグラスのステム２０のまわりに配置される。
【００１７】
図５は、カバー２のさらなる実施例を示し、これは、円形下方カバー部品７０と半円形上方カバー部品６０を備え、それぞれ、紙またはファブリック素材で作られている。これらのカバー部品は、外周領域８０において結合されてポケット部１００を提供し、ここにグラスのベースの一部を挿入することができる。カバーを使用する際に、グラスのステムを収容するために、上方カバー部品には凹部１２０が形成される。
【００１８】
図６は、さらなる実施例を示し、上方カバー部品６００は、下方カバー部品７００のほぼ全体を多い、その外周領域８００の主要部分において結合され、放射状スリット９００が上方カバー部品に提供されており、ステムを円形中央解放部１２００に通すようにする。
【図面の簡単な説明】
【００１９】
【図１】図１は、本発明によるカバーの外観を示す概略図である。
【図２】図２は、図１のカバーのさらなる実施例を示し、グラスステムを収容するための解放された中央部分を含むものである。
【図３】図３は、図１のカバーの別の実施例を示すものであり、上方カバーの中央領域に備えられた中央同心配置のフィンガーを有するものである。
【図４】図４は、図１のカバーの別の実施例を示すものであり、上方カバーの中央領域に備えられた中央同心配置のフィンガーを有するものである。
【図５】図５は、カバーのさらに別の実施例を示す。
【図６】図６は、さらなる実施例を示し、グラスのベース上にカバーを被せるようにはめるための放射状スリットが構成されている。
【図１】
2008521465.tif 000003
【図２】
2008521465.tif 000004
【図３】
2008521465.tif 000005
【図４】
2008521465.tif 000006
【図５】
2008521465.tif 000007
【図６】
2008521465.tif 000008
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
ステムグラスのベース部分用カバー（２）であって、下方カバー部品（７）と上方カバー部品（６）を備え、該下方カバー部品と該上方カバー部品は、それぞれの外周領域（８）のほぼ全体で結合されることにより、上方部品と下方部品の間でポケット部（１０）を定め、このポケット部によりステムグラスのベース部分を受け入れるように構成されているカバーであって、該カバーは、少なくとも部分的に、吸収性のあるファブリック素材で構成され、グラス上に形成された水滴、または、グラスからこぼれた飲料を吸収し、前記吸収性のあるファブリック素材は弾性を有し、グラスのベース部分を前記ポケット部に挿入することを可能とすることを特徴とするカバー。
【請求項２】
カバーの下面は、不滑性表面もしくはテクスチャを有することを特徴とする、請求項１に記載のカバー。
【請求項３】
カバーの下面は、該カバーの下面に滑り止め仕上げを施すことにより形成された、または、カバー素材の表面あるいはテクスチャが固有に有する特性により形成された不滑性表面またはテクスチャを有することを特徴とする、請求項１または請求項２に記載のカバー。
【請求項４】
カバーの上面は、販売促進素材または広告素材を備えた表面を提供することを特徴とする、請求項１から３のいずれかの１項に記載のカバー。
【請求項５】
カバーの上面は、カバーの上面に印刷やエンボス加工を施すことにより、販売促進素材または広告素材を備えた表面を提供することを特徴とする、請求項１から４のいずれかの１項に記載のカバー。
【請求項６】
カバーは、ほぼ円形であることを特徴とする、請求項１から５のいずれかの１項に記載のカバー。
【請求項７】
上方カバー部品（６）には、少なくとも一つのスリット（１６）が備えられ、これにより、カバー部品間のポケット内にグラスのベース部分を挿入することが可能となることを特徴とする、請求項１から６のいずれかの１項に記載のカバー。
【請求項８】
上方カバー部品は、直径方向のスリット（９）を備え、または、上方カバー部品（６００）は、放射線状のスリット（９００）を備え、この中にワイングラスのステム部分を通すことができることを特徴とする、請求項１から６のいずれかの１項に記載のカバー。
【請求項９】
スリットに隣接する、上方カバー部品（６００）の中央部分（１２００）は、グラスのステム部分を、より簡単にカバーに収容できるように、解放されていることを特徴とする、請求項８に記載のカバー。
【請求項１０】
複数の放射状方向のスリットを、中央部分を中心として備えることにより、フィンガー（１８）の同心配置を定め、使用の際には、カバーに挿入されたグラスのステム部分に対してフィンガーが設置されるように構成され、ステムからの水滴を吸い取るための一助となることを特徴とする、請求項９に記載のカバー。
【国際調査報告】
2008521465.tif 000009
2008521465.tif 000010
2008521465.tif 000011